(57)【要約】【課題】物干し装置を持上げて洗濯物を高所に吊るしたり、あるいは低身長の利用者が物干し装置を持ち上げることにより、前記物干し装置により洗濯物を高所へ吊り下げようとする場合、簡便にそのような操作を行うことを可能とする物干し装置用持上げ具を提案することをその目的とする。【解決手段】吊り下げ具によって吊り下げられた枠体と、この枠体に取り付けられた洗濯物の吊り具とによって構成された物干し装置において、前記枠体にはほぼ中央に下向きの第１の連結部材が設けられており、別途前記第１の連結部材に係合する第２の連結部材を用意しておいて、前記第２の連結部材を前記第１の連結部材にはめ込んで抜け止めしつつ持ち上げることにより、前記物干し装置による洗濯物の高所への吊り下げを可能としたことを特徴とする物干し装置用持上げ具。【選択図】図４
0003216865.tif 000002
【実用新案登録請求の範囲】
【請求項１】
吊り下げ具によって吊り下げられた枠体と、この枠体に取り付けられた洗濯物の吊り具とによって構成された物干し装置において、前記枠体にはほぼ中央に下向きの第１の連結部材が設けられており、別途前記第１の連結部材に係合する第２の連結部材を用意しておいて、前記第２の連結部材を前記第１の連結部材にはめ込んで抜け止めしつつ持ち上げることにより、前記物干し装置による洗濯物の高所への吊り下げを可能としたことを特徴とする物干し装置用持上げ具。
【請求項２】
前記第１の連結部材とこれに係合する第２の連結部材は、その一方が棒状であり、他方が筒状であって、棒状の連結部材に筒状の連結部材にはめ込んで抜け止めしつつ持ち上げることにより、前記物干し装置による洗濯物の高所への吊り下げを可能としたことを特徴とする請求項１に記載の物干し装置用持上げ具。
【考案の詳細な説明】
【技術分野】
【０００１】
本考案は吊り下げ具によって吊り下げられる枠体を備え、この枠体と枠体に取り付けられた洗濯物の吊り具とによって構成された物干し装置に関するものであり、該物干し装置を持上げて洗濯物を高所に吊るしたり、あるいは低身長の利用者が物干し装置を持ち上げることにより、前記物干し装置に吊るした洗濯物を高所へ吊り下げることを可能とした物干し装置用持上げ具を提供しようとするものである。
【背景技術】
【０００２】
従来の物干し装置は吊り下げ具によって吊り下げられた枠体と、この枠体に取り付けられた洗濯物の吊り下げ部材とによって形成されている。そして、洗濯物の吊り下げ部材としては洗濯ばさみや各種のピンチ類が適宜間隔で枠体に取り付けられているのである。そのような物干し装置の例としては、特開２０００−１５７７９０号公報（特許文献１参照）等を挙げることができる。
【先行技術文献】
【特許文献】
【０００３】
【特許文献１】特開２０００−１５７７９０号公報
【考案の概要】
【考案が解決しようとする課題】
【０００４】
ちなみに、このような物干し装置を持上げて洗濯物を高所に吊るしたり、あるいは低身長の利用者が物干し装置を持ち上げることにより、前記物干し装置により洗濯物を高所へ吊り下げようとする場合、別の場所から椅子や踏み台を持ってくる必要がある上、椅子や踏み台が不安定で落下事故が生じやすいという問題があった。
しかも洗濯物を吊り下げた物干し装置は非常に重く、より一層不安定さが増して落下事故の生じやすさが顕著になる。
【０００５】
本考案は上記問題点を解決し、特に物干し装置を持上げて洗濯物を高所に吊るしたり、あるいは低身長の利用者が物干し装置を持ち上げることにより、前記物干し装置により洗濯物を高所へ吊り下げようとする場合、簡便にそのような操作を行うことを可能とする物干し装置用持上げ具を提案することをその目的とするものである。
【課題を解決するための手段】
【０００６】
前記課題を解決するための手段として、本考案に係る物干し装置用持上げ具は、吊り下げ具によって吊り下げられた枠体と、この枠体に取り付けられた洗濯物の吊り具とによって構成された物干し装置において、前記枠体にはほぼ中央に下向きの第１の連結部材が設けられており、別途前記第１の連結部材に係合する第２の連結部材を用意しておいて、前記第２の連結部材を前記第１の連結部材にはめ込んで抜け止めしつつ持ち上げることにより、前記物干し装置による洗濯物の高所への吊り下げを可能としたことを特徴とするものである。
【０００７】
本考案の物干し装置用持上げ具は、前記第１の連結部材とこれに係合する第２の連結部材は、その一方が棒状であり、他方が筒状であって、棒状の連結部材に筒状の連結部材にはめ込んで抜け止めしつつ持ち上げることにより、前記物干し装置による洗濯物の高所への吊り下げを可能としたことをも特徴とするものである。
【考案の効果】
【０００８】
本考案は以上のように構成してあるため、筒状構造の連結部材を用意するだけの簡単で低コストの準備で前記物干し装置による洗濯物の高所への吊り下げが可能となるのである。
またその操作も、棒状の連結部材に筒状の連結部材にはめ込んで抜け止めしつつ持ち上げるという極めて簡単なものであり、老若男女の誰でも取り扱うことができて非常に便利である。
【図面の簡単な説明】
【０００９】
【図１】（ａ）は本考案に係る物干し装置用持上げ具の正面図、（ｂ）はその断面図である。
【図２】本考案に係る物干し装置用持上げ具の斜視図である。
【図３】本考案に係る物干し装置用持上げ具を適用しようとする物干し装置を示す概略斜視図である。
【図４】本考案に係る物干し装置用持上げ具を物干し装置に適用しようとする段階を示す概略正面図である。
【図５】各連結部材をはめ込んだ状態を示す概略正面図である。
【図６】本考案に係る物干し装置用持上げ具で物干し装置を持ち上げて適宜位置に吊り下げようとする状態を示す概略正面図である。
【考案を実施するための形態】
【００１０】
以下、図面によって本考案の物干し装置用持上げ具の実施の形態の一例について説明する。
図１（ａ），（ｂ）および図２は本考案の物干し装置用持上げ具の実施例を示すものである。
図１（ａ），（ｂ）および図２に示すように、本考案の物干し装置用持上げ具は、上端を開口した筒状本体１２と、下端に取り付けた端部係止部１３と、この端部係止部１３から所定間隔のグリップ部１５を介して前記筒状本体１２に取り付けたストッパ１４によって構成されている。以下この物干し装置用持上げ具を第２の連結部材１１と称する。
【００１１】
前記第２の連結部材１１を構成する上端を開口した筒状本体１２はステンレス等の金属製であっても、樹脂等であってもよく、例えば所定の長さのステンレス製の筒状体を適宜長さに切断して利用することができる。図において１２ａは前記筒状本体１２の内側に配設した内筒であり、後述の第１の連結部材をガタつくことなく収納するために内径を調整する機能を有している。なお、１２ｂは前記内筒１２ａの上端の傾斜面であり、第１の連結部材を前記筒状本体１２内にスムーズにガイドさせるためのものである。このように前記筒状本体１２の開口部分を広くしておけば、高齢者等でも前記第２の連結部材１１を第１の連結部材に簡単にはめ込むことができる。
また、筒状本体１２はその長さ方向に延びる縦リブ等の補強構造を採用してもよく、それによって薄肉化や軽量化を図ることができる。
【００１２】
さらに、図１（ａ），（ｂ）および図２に示すような球体からなる前記端部係止部１３と筒状の前記ストッパ１４とは、樹脂等で成形したものを前記筒状本体１２にはめ込んで装着することができる。
なお、図において１６は前記端部係止部１３に一体的に取り付けたリング状の吊り紐であり、不使用時等において後述の洗濯ばさみや壁面のフック等に吊るしておくためのものである。
【００１３】
本考案の物干し装置用持上げ具は、図３に示す物干し装置に適用され、使用に供される。
すなわち、図３の物干し装置２１は、吊り下げ具２２にチェーンや紐等からなる吊り下げ部材２４を介して吊り下げられた枠体２３を備え、該枠体２３に洗濯物が取り付けられるようになっている。
すなわち、洗濯ばさみ２５が前記枠体２３の下端に取り付けられており、該洗濯ばさみ２５で適宜洗濯物を挟んで吊り下げるものである。
【００１４】
他方、前記吊り下げ具２２によって吊り下げられた枠体２３のほぼ中央の下部に、下向きに突出するように設けられた棒状の第１の連結部材３１が取り付けられている。
その上で、図４および図５に示すように、本考案の物干し装置用持上げ具は、前記第２の連結部材１１の筒状本体１２の上端開口部を、前記棒状の第１の連結部材３１に差し込むことにより洗濯物の持上げに使用される。図４は前記第２の連結部材１１の筒状本体１２の上端開口部を、前記棒状の第１の連結部材３１に差し込もうとする状態を示している。また図５は前記第２の連結部材１１の筒状本体１２の上端開口部を、前記棒状の第１の連結部材３１に差し込んだ状態を示している。
【００１５】
前記棒状の第１の連結部材３１とこれに係合する筒状の第２の連結部材１１は、それぞれが逆であってもよく、一方が棒状であり、他方が筒状であって、棒状の連結部材に筒状の連結部材にはめ込んで抜け止めしつつ持ち上げることにより、前記物干し装置による洗濯物の高所への吊り下げが可能となる。
【００１６】
すなわち、図６に示すように、前記第２の連結部材１１の筒状本体１２の上端開口部を、前記棒状の第１の連結部材３１に差し込んで洗濯物ごと物干し装置２１を持上げ、物干し竿４１や室内のカーテンレール、その他の高所に吊り下げるのである。
【００１７】
このような物干し装置２１の例としては、特開２０００−１５７７９０号に示すものも周知である。その例においては、洗濯ばさみは一本の線材を折り曲げて形成されていて、耐久性に富むものとなっている。
【産業上の利用可能性】
【００１８】
前記構成のように、本考案に係る物干し装置用持上げ具によれば、前記吊り下げ具によって吊り下げられた枠体のほぼ中央の下部に、下向きに突出するように第１の連結部材３１を設け、他方においては前記第２の連結部材１１を準備しておいて、第２の連結部材１１の上端を、前記第１の連結部材３１に差し込むことにより洗濯物の持上げに使用される。
したがって、本考案に係る物干し装置用持上げ具の趣旨を変更しない限り、物干し装置以外の高所に持上げることが求められる種々の日用品にも適用できることは言うまでもない。
【符号の説明】
【００１９】
１１  第２の連結部材
１２  筒状本体
１２ａ  内筒
１２ｂ  傾斜面
１３  端部係止部
１４  ストッパ
１５  グリップ部
１６  吊り紐
２１  物干し装置
２２  吊り下げ具
２３  枠体
２４  吊り下げ部材
２５  洗濯ばさみ
３１  第１の連結部材
４１  物干し竿
【図１】
0003216865.tif 000003
【図２】
0003216865.tif 000004
【図３】
0003216865.tif 000005
【図４】
0003216865.tif 000006
【図５】
0003216865.tif 000007
【図６】
0003216865.tif 000008